(57)【特許請求の範囲】
【請求項１】
第１の商品の商品識別子に基づき、複数の商品情報を有する商品データから上記第１の商品の代替品である第２の商品の商品情報を検索し、上記第２の商品の商品情報及び環境値を上記第１の商品の代替品情報として提供する代替品情報提供手段を備え、
上記商品データは、上記商品情報、及びこの商品情報に対応して記憶され複数の代替品を含む代替品グループを特定する代替品グループコードを含み、
上記代替品情報提供手段は、上記商品識別子に対応する上記代替品グループコードと同一の代替品グループコードに属し、上記第１の商品より上記環境値が高い上記第２の商品の商品情報を上記第１の商品の代替品情報として提供することを特徴とする環境対応商品情報提供装置。
【請求項２】
複数の商品情報に関して、上記商品情報、及びこの商品情報に対応して記憶され複数の代替品を含む代替品グループを特定する代替品グループコードを含む商品データから、第１の商品の商品識別子に基づき上記第１の商品の代替品である第２の商品の商品情報を検索し、上記第２の商品の商品情報及び環境値を上記第１の商品の代替品情報として提供する代替品情報提供手段と、
上記商品識別子又は上記代替品グループコードに基づいて、商品とその代替品との価格差又は商品毎に付与された環境値の高低差を基準とする複数の選択条件から、上記第１の商品に対応する上記第２の商品の選定条件を選択する選定条件手段と、
上記選定条件に基づき上記第１の商品に対する上記第２の商品の順序付けを構成する代替品情報構成手段とを備え、
上記代替品情報提供手段は、上記順序付けに基づき上記第１の商品の代替品情報として上記第２の商品の商品情報及び環境値を順序付けて提供することを特徴とする環境対応商品情報提供装置。
【請求項３】
上記商品情報及びこの商品情報に対応する環境値を、複数の商品それぞれについて記憶する商品マスタファイルを備え、
上記選定条件手段は、端末から入力された上記第２の商品の選定条件を代替品選定条件ファイルに蓄積し、
上記代替品情報構成手段は、上記代替品選定条件ファイルに定められた条件に基づき、上記第１の商品に対する上記第２の商品の順序付けを構成し、上記代替品情報提供手段は、上記商品マスタファイル及び上記代替品情報構成手段が構成した順序付けに基づき、上記第１の商品及び上記第２の商品の商品情報及び環境値を提供することを特徴とする請求項２に記載の環境対応商品情報提供装置。
【請求項４】
上記選定条件手段は、上記第２の商品を選定する規定選定条件の入力を端末から受付け、これを規定条件ファイルに蓄積し、
上記代替品情報構成手段は、上記商品識別子又は代替品グループコード毎に上記第２の商品の選定条件が定められていない上記第１の商品に対して、上記規定条件ファイルに定められた条件に基づき上記第２の商品の順序付けを構成することを特徴とする請求項２又は３に記載の環境対応商品情報提供装置。
【請求項５】
商品識別子、商品情報、環境値、及び上記商品情報に対応し複数の代替品を含む代替品グループを特定する代替品グループコードを、複数の商品それぞれについて記憶する商品マスタファイルと、
上記商品マスタファイルに記憶された上記商品識別子又は上記代替品グループコードに基づいて、商品とその代替品との価格差又は上記環境値の高低差を基準とする複数の選択条件から、第１の商品に対応する上記第２の商品の選定条件を選択する選定条件手段と、
上記選定条件に基づき上記第１の商品に対する上記第２の商品の順序付けを構成する代替品情報構成手段と、
上記順序付けに基づき上記第１の商品の代替品情報として上記第２の商品の商品情報及び環境値を順序付けて提供する代替品情報提供手段とを有する店舗サーバ、
この店舗サーバと接続され、上記第１の商品に対応する上記代替品情報を上記店舗サーバから受け取り、上記第１の商品の購入を受け付けたとき、上記第１の商品の購入情報とともに、受け取った代替品情報を印字する代替品情報印字手段を有するＰＯＳ端末、
を備えたことを特徴とする環境対応商品情報提供システム。
【請求項６】
商品識別子、商品情報、環境値、及び上記商品識別子に対応し複数の代替品を含む代替品グループを特定する代替品グループコードを、複数の商品それぞれについて記憶する商品マスタファイルと、
上記商品マスタファイルに記憶された上記商品識別子又は上記代替品グループコードに基づいて、商品とその代替品との価格差又は上記環境値の高低差を基準とする複数の選択条件から、第１の商品に対応する上記第２の商品の選定条件を選択する選定条件手段と、
上記選定条件に基づき上記第１の商品に対する上記第２の商品の順序付けを構成し、この順序付けを代替品マスタファイルとして蓄積する代替品情報構成手段とを有する店舗サーバ、
上記店舗サーバから送信された上記商品マスタファイル及び上記代替品マスタファイルから、上記第１の商品の代替品情報として上記第２の商品の商品情報及び環境値を構成するデータ処理手段と、
上記第１の商品の購入を受け付けたとき、上記第１の商品の購入情報とともに、上記データ処理手段が構成した代替品情報とを印字する代替品情報印字手段とを有するＰＯＳ端末を備えたことを特徴とする環境対応商品情報システム。
【請求項７】
上記ＰＯＳ端末は、予め定められた間隔で上記第１の商品の購入情報を上記店舗サーバに送信するデータ処理手段を備え、
上記店舗サーバは、上記ＰＯＳ端末から送信された購入情報に、上記第１の商品を購入した顧客を特定する会員コードを付与して購入履歴を構成し、蓄積する購入履歴作成手段と、
この購入履歴作成手段が蓄積した購入履歴又はこの購入履歴に対応する商品の上記環境値を上記顧客毎に構成し、上記顧客に提供する顧客情報提供手段とを備えたことを特徴とする請求項５又は６に記載の環境対応商品情報提供システム。
【請求項８】
上記顧客情報提供手段は、上記顧客毎の購入履歴に応じた上記環境値を上記顧客毎に集計し、それを累積環境値として記憶し、上記購入履歴又は上記顧客毎の累積環境値を顧客が有する端末に送信することを特徴とする請求項７に記載の環境対応商品情報提供システム。
【請求項９】
上記店舗サーバから送信された商品情報及び代替品情報に基づき、上記第１の商品の価格とともに上記第１の商品に対応する上記代替品情報を蓄積し、顧客の切替操作に応じて上記第１の商品の価格又は上記代替品情報を表示する電子棚札、
を備えたことを特徴とする請求項５〜８のいずれか１項に記載の環境対応商品情報提供システム。
【請求項１０】
上記商品識別子を読取る識別子読取手段を備え、
上記店舗サーバから送信された上記第１の商品に対応する上記代替品情報を蓄積し、上記識別子読取手段が読取った商品識別子から上記第１の商品を特定したとき、上記第１の商品に対応する上記代替品情報を表示する環境チェッカー、
を備えたことを特徴とする請求項５〜９のいずれか１項に記載の環境対応商品情報提供システム。
【請求項１１】
コンピュータを、
複数の商品情報に関して、上記商品情報、及びこの商品情報に対応して記憶され複数の代替品を含む代替品グループを特定する代替品グループコードを含む商品データから、第１の商品の商品識別子に基づき上記第１の商品の代替品である第２の商品の商品情報を検索し、上記第２の商品の商品情報及び環境値を上記第１の商品の代替品情報として提供する代替品情報提供手段、
として機能させ、上記代替品情報提供手段として機能させるとき、上記商品識別子に対応する上記代替品グループコードと同一の代替品グループコードに属し、上記第１の商品より上記環境値が高い上記第２の商品の商品情報を上記第１の商品の代替品情報として提供することを特徴とする環境対応商品情報提供プログラム。
【請求項１２】
コンピュータを、
複数の商品情報に関して、上記商品情報、及びこの商品情報に対応して記憶され複数の代替品を含む代替品グループを特定する代替品グループコードを含む商品データから、第１の商品の商品識別子に基づき上記第１の商品の代替品である第２の商品の商品情報を検索し、上記第２の商品の商品情報及び環境値を上記第１の商品の代替品情報として提供する代替品情報提供手段、
上記商品識別子又は上記代替品グループコードに基づいて、商品とその代替品との価格差又は商品毎に付与された環境値の高低差を基準とする複数の選択条件から、上記第１の商品に対応する上記第２の商品の選定条件を選択する選定条件手段、
上記選定条件に基づき上記第１の商品に対する上記第２の商品の順序付けを構成する代替品情報構成手段、
として機能させ、上記代替品情報提供手段として機能させるとき、上記順序付けに基づき上記第１の商品の代替品情報として上記第２の商品の商品情報及び環境値を順序付けて提供することを特徴とする環境対応商品情報提供プログラム。
【請求項１３】
商品識別子、商品情報、環境値、及び上記商品識別子に対応し複数の代替品を含む代替品グループを特定する代替品グループコードを、複数の商品それぞれについて記憶する商品マスタファイルと、
上記商品マスタファイルに記憶された上記商品識別子又は上記代替品グループコードに基づいて、商品とその代替品との価格差又は上記環境値の高低差を基準とする複数の選択条件から、第１の商品に対応する上記第２の商品の選定条件を選択する選定条件手段と、
上記選定条件に基づき上記第１の商品に対する上記第２の商品の順序付けを構成し、この順序付けを代替品マスタファイルとして蓄積する代替品情報構成手段とを有する店舗サーバと接続されたＰＯＳ端末を、
上記店舗サーバから送信された上記商品マスタファイル及び上記代替品マスタファイルから、上記第１の商品の代替品情報として上記第２の商品の商品情報及び環境値を構成するデータ処理手段、
上記第１の商品の購入を受け付けたとき、上記第１の商品の購入情報とともに、受け取った代替品情報を印字する代替品情報印字手段、
として機能させるための環境対応商品情報提供プログラム。
【発明の詳細な説明】
【０００１】
【発明の属する技術分野】
本発明は、環境に対する影響度が少ない環境対応商品情報を提供する環境対応商品情報提供装置、環境対応商品情報提供システム及び環境対応商品情報提供方法に関するものである。
【０００２】
【従来の技術】
従来、商品の環境に対する影響度は、その商品の製造メーカや流通業者から個別に独自な方法で提供されている。そのため消費者は、商品購入前に製造メーカや流通業者から提供される資料により調査しないと、その商品の環境に対する影響度を得ることができなかった。
【０００３】
また、特開平１１−１４３３６６号公報には商品に関して数値化された環境負荷値、いわゆる二酸化炭素に換算したライフサイクルアセスメント値を提供するレシート等が開示されている。
【０００４】
【発明が解決しようとする課題】
従来は、消費者が商品を購入するとき、環境に対する影響度が少ない商品を選択しようとしても、商品購入時にはわからなかった。
【０００５】
また特開平１１−１４３３６６号公報に開示された技術によると、購入した商品に関する環境負荷値は提供されるものの、消費者に、より環境に対する影響度が少ない商品の購入を促すことができなかった。
【０００６】
本発明は上述のような問題点を解決するためになされたものであり、顧客が商品を購入しようとするとき、または購入したときに、より環境に対する影響度が少ない環境対応商品情報を提供することを目的とするものである。
【０００７】
【課題を解決するための手段】
本発明に係る環境対応商品情報提供装置は、第１の商品の商品識別子に基づき、複数の商品情報を有する商品データから上記第１の商品の代替品である第２の商品の商品情報を検索し、上記第２の商品の商品情報及び環境値を上記第１の商品の代替品情報として提供する代替品情報提供手段を備え、上記商品データは、上記商品情報、及びこの商品情報に対応して記憶され複数の代替品を含む代替品グループを特定する代替品グループコードを含み、上記代替品情報提供手段は、上記商品識別子に対応する上記代替品グループコードと同一の代替品グループコードに属し、上記第１の商品より上記環境値が高い上記第２の商品の商品情報を上記第１の商品の代替品情報として提供することを特徴とするものである。
【０００８】
また、複数の商品情報に関して、上記商品情報、及びこの商品情報に対応して記憶され複数の代替品を含む代替品グループを特定する代替品グループコードを含む商品データから、第１の商品の商品識別子に基づき上記第１の商品の代替品である第２の商品の商品情報を検索し、上記第２の商品の商品情報及び環境値を上記第１の商品の代替品情報として提供する代替品情報提供手段と、上記商品識別子又は上記代替品グループコードに基づいて、商品とその代替品との価格差又は商品毎に付与された環境値の高低差を基準とする複数の選択条件から、上記第１の商品に対応する上記第２の商品の選定条件を選択する選定条件手段と、
上記選定条件に基づき上記第１の商品に対する上記第２の商品の順序付けを構成する代替品情報構成手段とを備え、上記代替品情報提供手段は、上記順序付けに基づき上記第１の商品の代替品情報として上記第２の商品の商品情報及び環境値を順序付けて提供することを特徴とするものである。
【０００９】
また、上記商品情報及びこの商品情報に対応する環境値を、複数の商品それぞれについて記憶する商品マスタファイルを備え、上記選定条件手段は、端末から入力された上記第２の商品の選定条件を代替品選定条件ファイルに蓄積し、上記代替品情報構成手段は、上記代替品選定条件ファイルに定められた条件に基づき、上記第１の商品に対する上記第２の商品の順序付けを構成し、上記代替品情報提供手段は、上記商品マスタファイル及び上記代替品情報構成手段が構成した順序付けに基づき、上記第１の商品及び上記第２の商品の商品情報及び環境値を提供することを特徴とするものである。
【００１０】
また、上記選定条件手段は、上記第２の商品を選定する規定選定条件の入力を端末から受付け、これを規定条件ファイルに蓄積し、上記代替品情報構成手段は、上記商品識別子又は代替品グループコード毎に上記第２の商品の選定条件が定められていない上記第１の商品に対して、上記規定条件ファイルに定められた条件に基づき上記第２の商品の順序付けを構成することを特徴とするものである。
【００１２】
本発明に係る環境対応商品情報提供システムは、商品識別子、商品情報、環境値、及び上記商品情報に対応し複数の代替品を含む代替品グループを特定する代替品グループコードを、複数の商品それぞれについて記憶する商品マスタファイルと、上記商品マスタファイルに記憶された上記商品識別子又は上記代替品グループコードに基づいて、商品とその代替品との価格差又は上記環境値の高低差を基準とする複数の選択条件から、第１の商品に対応する上記第２の商品の選定条件を選択する選定条件手段と、上記選定条件に基づき上記第１の商品に対する上記第２の商品の順序付けを構成する代替品情報構成手段と、上記順序付けに基づき上記第１の商品の代替品情報として上記第２の商品の商品情報及び環境値を順序付けて提供する代替品情報提供手段とを有する店舗サーバ、この店舗サーバと接続され、上記第１の商品に対応する上記代替品情報を上記店舗サーバから受け取り、上記第１の商品の購入を受け付けたとき、上記第１の商品の購入情報とともに、受け取った代替品情報を印字する代替品情報印字手段を有するＰＯＳ端末を備えたものである。
【００１３】
また、商品識別子、商品情報、環境値、及び上記商品識別子に対応し複数の代替品を含む代替品グループを特定する代替品グループコードを、複数の商品それぞれについて記憶する商品マスタファイルと、上記商品マスタファイルに記憶された上記商品識別子又は上記代替品グループコードに基づいて、商品とその代替品との価格差又は上記環境値の高低差を基準とする複数の選択条件から、第１の商品に対応する上記第２の商品の選定条件を選択する選定条件手段と、上記選定条件に基づき上記第１の商品に対する上記第２の商品の順序付けを構成し、この順序付けを代替品マスタファイルとして蓄積する代替品情報構成手段とを有する店舗サーバ、上記店舗サーバから送信された上記商品マスタファイル及び上記代替品マスタファイルから、上記第１の商品の代替品情報として上記第２の商品の商品情報及び環境値を構成するデータ処理手段と、上記第１の商品の購入を受け付けたとき、上記第１の商品の購入情報とともに、上記データ処理手段が構成した代替品情報とを印字する代替品情報印字手段とを有するＰＯＳ端末を備えたものである。
【００１４】
また、上記ＰＯＳ端末は、予め定められた間隔で上記第１の商品の購入情報を上記店舗サーバに送信するデータ処理手段を備え、上記店舗サーバは、上記ＰＯＳ端末から送信された購入情報に、上記第１の商品を購入した顧客を特定する会員コードを付与して購入履歴を構成し、蓄積する購入履歴作成手段と、この購入履歴作成手段が蓄積した購入履歴又はこの購入履歴に対応する商品の上記環境値を上記顧客毎に構成し、上記顧客に提供する顧客情報提供手段とを備えたものである。
【００１５】
また、上記顧客情報提供手段は、上記顧客毎の購入履歴に応じた上記環境値を上記顧客毎に集計し、それを累積環境値として記憶し、上記購入履歴又は上記顧客毎の累積環境値を顧客が有する端末に送信することを特徴とするものである。
【００１６】
また、上記店舗サーバから送信された商品情報及び代替品情報に基づき、上記第１の商品の価格とともに上記第１の商品に対応する上記代替品情報を蓄積し、顧客の切替操作に応じて上記第１の商品の価格又は上記代替品情報を表示する電子棚札を備えたものである。
【００１７】
また、上記商品識別子を読取る識別子読取手段を備え、上記店舗サーバから送信された上記第１の商品に対応する上記代替品情報を蓄積し、上記識別子読取手段が読取った商品識別子から上記第１の商品を特定したとき、上記第１の商品に対応する上記代替品情報を表示する環境チェッカーを備えたものである。
【００１８】
本発明に係る環境対応商品情報提供プログラムは、コンピュータを、複数の商品情報に関して、上記商品情報、及びこの商品情報に対応して記憶され複数の代替品を含む代替品グループを特定する代替品グループコードを含む商品データから、第１の商品の商品識別子に基づき上記第１の商品の代替品である第２の商品の商品情報を検索し、上記第２の商品の商品情報及び環境値を上記第１の商品の代替品情報として提供する代替品情報提供手段、として機能させ、上記代替品情報提供手段として機能させるとき、上記商品識別子に対応する上記代替品グループコードと同一の代替品グループコードに属し、上記第１の商品より上記環境値が高い上記第２の商品の商品情報を上記第１の商品の代替品情報として提供することを特徴とするものである。
【００１９】
また、コンピュータを、複数の商品情報に関して、上記商品情報、及びこの商品情報に対応して記憶され複数の代替品を含む代替品グループを特定する代替品グループコードを含む商品データから、第１の商品の商品識別子に基づき上記第１の商品の代替品である第２の商品の商品情報を検索し、上記第２の商品の商品情報及び環境値を上記第１の商品の代替品情報として提供する代替品情報提供手段、上記商品識別子又は上記代替品グループコードに基づいて、商品とその代替品との価格差又は商品毎に付与された環境値の高低差を基準とする複数の選択条件から、上記第１の商品に対応する上記第２の商品の選定条件を選択する選定条件手段、上記選定条件に基づき上記第１の商品に対する上記第２の商品の順序付けを構成する代替品情報構成手段、として機能させ、上記代替品情報提供手段として機能させるとき、上記順序付けに基づき上記第１の商品の代替品情報として上記第２の商品の商品情報及び環境値を順序付けて提供することを特徴とするものである。
【００２０】
また、商品識別子、商品情報、環境値、及び上記商品識別子に対応し複数の代替品を含む代替品グループを特定する代替品グループコードを、複数の商品それぞれについて記憶する商品マスタファイルと、上記商品マスタファイルに記憶された上記商品識別子又は上記代替品グループコードに基づいて、商品とその代替品との価格差又は上記環境値の高低差を基準とする複数の選択条件から、第１の商品に対応する上記第２の商品の選定条件を選択する選定条件手段と、上記選定条件に基づき上記第１の商品に対する上記第２の商品の順序付けを構成し、この順序付けを代替品マスタファイルとして蓄積する代替品情報構成手段とを有する店舗サーバと接続されたＰＯＳ端末を、
上記店舗サーバから送信された上記商品マスタファイル及び上記代替品マスタファイルから、上記第１の商品の代替品情報として上記第２の商品の商品情報及び環境値を構成するデータ処理手段、上記第１の商品の購入を受け付けたとき、上記第１の商品の購入情報とともに、受け取った代替品情報を印字する代替品情報印字手段、として機能させるものである。
【００２１】
【発明の実施の形態】
実施の形態１．
環境に対する影響度が少ない商品を代替品情報として提供する環境対応商品情報提供システムについて、説明する。本実施の形態１において、商品には「代替品グループコード」、また環境に対する影響度として「環境値」が付与されているとする。「環境値」は、数値が大きいほど環境に対する影響度が少ないとし、「環境貢献度」が高いとする。第１の商品の代替品となる第２の商品は、同一「代替品グループコード」に属する商品の中で、「環境値」に基づいて選定される。
【００２２】
図１は、本実施の形態である環境対応商品情報提供システムを実現するためのシステム構成図である。図１において、１は店舗サーバ、２は端末である。端末２は、店舗の責任者などから入力される第１の商品の代替品である第２の商品を選定するための条件を受け付け、これを店舗サーバ１に送信する。
【００２３】
３はインターネットなどのネットワーク、４は顧客が所有するメール端末である。メール端末４は、ネットワーク３を介して店舗サーバ１と接続されている。メール端末４は、メールを受信し、インターネットに接続できる端末であればいいので、パソコン、携帯電話端末、携帯端末又はＰＤＡ（Personal  Digital  Assistants）などで構成することができる。
【００２４】
５はＰＯＳ端末、６はＰＯＳ端末５から印字されるレシート、７は電子棚札コントロール、８は電子棚札、９は環境チェッカーである。電子棚札８は、商品棚に置かれた商品毎に設置されるもので、該当商品の価格や環境値など商品情報を表示するものである。電子棚札８は、電子棚札コントロール７に複数接続することができ、電子棚札コントロール７を経由して、店舗サーバ１から商品情報を受け取り、それを表示する。電子棚札コントロール７は、接続されている電子棚札８を例えばＩＰアドレスなどで、特定する。
【００２５】
また、環境チェッカー９は、商品コードなどの商品識別子を読み取る識別子読取手段を備えていて、例えば商品コードをバーコードで構成し、識別子読取手段としてバーコード読取装置で構成することができる。バーコードを読み取ることで商品を特定したとき、環境チェッカー９は、その商品の価格や環境値など商品情報を表示する。店舗の壁、買い物篭、カートなどに設置可能であり、顧客は環境チェッカー９に商品を特定させ、表示された商品の価格や環境値などの商品情報を確認する。店舗サーバ１には、複数のＰＯＳ端末５、電子棚札コントロール７及び環境チェッカー９が接続されている。
【００２６】
７１はメール端末４の表示例、７２はレシート６の印字例、７３は電子棚札８の表示例、７４は環境チェッカー７４の表示例である。図１を用いて、本実施の形態における代替品情報を提供する処理の概要を説明する。店舗サーバ１において、第１の商品の商品識別子を読み取るなどの操作により第１の商品を特定したとき、複数の商品情報を有する商品データの中から第１の商品の代替品である第２の商品の商品情報を検索する。この検索した第２の商品の商品情報を第１の商品の代替品情報として提供するが、提供する方法としては、顧客が所有するメール端末４へ送信する、レシート６に印字する、電子棚札８に表示する、環境チェッカー９に表示するなどが考えられる。メール端末４の表示例７１のように、代替品情報及び顧客毎の購入履歴に応じた累積環境値を表示したり、レシート印字例７２のように、商品購入情報とともに、代替品情報を印字することができる。また、電子棚札表示例７３のように、置かれた商品の前で代替品情報を表示したり、環境チェッカー７４のように、バーコードを読み取るなどで商品を特定したときに、その商品の代替品情報を表示したりすることができる。
【００２７】
図２は、店舗サーバ１及びＰＯＳ端末５に関して詳細に記したシステム構成図である。図２において、１１は選定条件手段、１２は規定条件ファイル、１３は代替品選定条件ファイルである。選定条件手段１１は、端末２から入力された第１の商品の代替品である第２の商品を選定するための条件を受け付ける。規定条件ファイル１２は、選定条件手段１１が受け付けた規定選定条件を蓄積したファイルである。また、代替品選定条件ファイル１３は、商品又は代替品グループコードに基づいて代替品を選定するときの選定条件を、選定条件手段１１が受け付け、蓄積したファイルである。商品又は代替品グループコードに応じて代替品を選定するときは、代替品選定条件ファイル１３に蓄積された選定条件を用いることとし、それ以外は規定条件ファイル１２に蓄積された選定条件を用いることとする。
【００２８】
１４は商品マスタファイル、１５は代替品マスタファイル、１６は代替品情報構成手段、１７は代替品情報提供手段、２５は代替品ファイルである。商品マスタファイル１４には、商品データとして、「商品コード」、「商品名」、「分類コード」などの商品情報、「価格」、「代替品グループコード」及び「環境値」が蓄積されている。「商品コード」は、商品を特定する商品識別子であり、「代替品グループコード」は、１つの商品に対応する複数の代替品を含む代替品グループを特定するグループコードである。代替品情報構成手段１６は、商品マスタファイル１４に蓄積されている商品毎に、規定条件ファイル１２又は代替品選定条件ファイル１３に定められた条件に基づき、第１の商品に対する第２の商品の順序付けを構成し、この順序付けを代替品マスタファイル１５に蓄積する。代替品情報提供手段１７は、商品マスタファイル１４及び代替品マスタファイル１５に基づき、全ての第１の商品の代替品情報として第２の商品の商品情報及び環境値を順序付けて、代替品ファイル２５を構成する。この代替品ファイル２５をダウンロードすることにより、ＰＯＳ端末５、電子棚札８及び環境チェッカー９は代替品情報を印字又は表示する。
【００２９】
１８はデータ送受信手段であり、例えば毎夕などと予め定められた間隔で、ＰＯＳ端末５からの購入履歴を受信し、また代替品ファイル２５をＰＯＳ端末５、電子棚札コントロール７及び環境チェッカー９に送信する。１９は購入履歴作成手段、２０は顧客マスタファイル、２１は顧客購入履歴ファイルである。購入履歴作成手段１９は、データ送受信手段１８が受信したＰＯＳ端末５毎の購入履歴から顧客毎の購入履歴を構成し、顧客購入履歴ファイル２１にこの顧客毎の購入履歴を蓄積する。
【００３０】
２２は顧客情報提示手段であり、顧客マスタファイル２０及び顧客購入履歴ファイル２１に基づき、購入履歴及び購入商品の環境値を顧客毎に構成する。その後、ネットワーク３を介して、メール端末４に顧客毎の購入履歴及び購入商品の環境値を送信することで、この情報を顧客に提供する。
【００３１】
２３はデータ処理手段、２４は代替品情報印字手段、２６は代替品出力ファイル、２７は購入履歴ファイルである。ＰＯＳ端末５は、商品の買い上げを受け付けたとき、その購入情報を購入履歴ファイル２７に蓄積する。また、データ処理手段２３は、予め定めた間隔で購入履歴ファイル２７をデータ送受信手段１８に対して送信するとともに、代替品ファイル２５を受信し、それを代替品出力ファイル２６として蓄積する。代替品情報印字手段２４は、代替品出力ファイル２６に基づき、第１の商品の購入履歴とともに、第１の商品に対する第２の商品の商品情報及び環境値とをレシート６に印字する。
【００３２】
また、電子棚札コントロール７、環境チェッカー９が有する代替品出力ファイル２６は、ＰＯＳ端末５が有する代替品出力ファイル２６と同様に、データ送受信手段１８により送信されたものであり、電子棚札８及び環境チェッカー９が代替品情報を表示するために、用いられる。
【００３３】
図３は、規定条件ファイル１２の一例を示した構成図である。商品又は代替品グループコード毎に第２の商品の選定条件を定めない第１の商品は、図３に示す「条件１」及び「条件２」に基づいて、第２の商品を順序付けて選定する。「条件１」は、第１の商品と第２の商品との環境値の高低差により条件を定めていて、「条件２」は、第１の商品と第２の商品との価格差により条件を定めている。「条件１」に記載した「環境値は近似値から選定」という条件は、第１の商品と同じ代替品グループコードに属する商品の中で、第１の商品の環境値の次に高い環境値を有する商品を最初に、それ以降は順序付けて、第２の商品として選定するということであり、「条件２」に記載した「価格差は±１０％以内」という条件により、価格差を考慮する。つまり、環境値の高低だけで代替品を選定するのではなく、顧客の購買意識を考慮して価格差も選定条件に加えることにより、例えば第１の商品より環境値は高いが、価格も格段に高い商品の選定順序を下げるなどの操作をすることができる。
【００３４】
また選定条件は、「条件１」及び「条件２」を記載しているが、「条件１」のみで構成してもいいし、例えば分類コードや製造メーカなどの条件で「条件３」以降を指定することもできる。
【００３５】
図４は、代替品選定条件ファイル１３の一例を示した構成図である。代替品選定条件ファイル１３は、商品コード又は代替品グループコードに基づき、第１の商品と第２の商品との価格差又は商品毎に付与された環境値の高低差に関して、代替品の選定条件を定めている。図４に示すように、選定条件は、商品コード又は代替品グループコードにより特定してもいいし、商品コード及び代替品グループコードの２つにより特定してもいい。「条件１」は、第１の商品と第２の商品との環境値の高低差で定めていて、「条件２」は、第１の商品と第２の商品との価格差で定めている。「条件１」に記載した「環境値は最高値から選定」という条件は、第１の商品と同じ代替品グループコードに属する商品の中で、一番高い環境値を有する商品を最初にそれ以降は順序付けて、第２の商品として選定するということである。また、上述したように、選定条件は、「条件１」のみで構成することもでき、また分類コードや製造メーカなどの条件で「条件３」以降を指定することもできる。代替品選定条件ファイル１３には、特定の商品コード又は代替品グループコードに基づいて選定条件を定めることができ、それ以外の商品コード又は代替品グループコードの商品に関しては、規定条件ファイル１２に定められた選定条件を適用する。
【００３６】
図５は、商品マスタファイル１４の一例を示した構成図である。図５に示すように、商品マスタファイル１４には「商品コード」、「商品名」、「分類コード」などの商品情報、「価格」、「代替品グループコード」及び「環境値」が蓄積されている。「商品コード」は、商品を特定する商品識別子であり、「代替品グループコード」は、１つの商品に対応する複数の代替品を含む代替品グループを特定するグループコードである。また「製造メーカ」や「仕入先」なども商品情報として蓄積することができる。
【００３７】
図６は、代替品マスタファイル１５の一例を示した構成図である。図６に示すように、第１の商品を「商品コード」で特定し、第１の商品毎に、第２の商品を順序付けて、「代替品１」、「代替品２」と順次、第２の商品の商品コードを蓄積する。また「コメント」は、店舗の責任者などが顧客に代替品情報として提供する情報の一部として、構成することができ、端末２からの入力により代替品マスタファイル１５に蓄積される。
【００３８】
図７は、顧客マスタファイル２０の一例を示した構成図である。図７に示すように、「会員コード」、「氏名」、「郵便番号」、「住所」、「メールアドレス」「メール送信フラグ」、「累積環境値」で構成される。「メール送信フラグ」は、メール端末４に対して顧客毎の購入履歴及び購入商品の累積環境値を送信するか否かを示すフラグであり、例えば「１」のときは「送信する」、「０」のときは「送信しない」などとする。「メール送信フラグ」は、顧客として登録するときに又は随時、顧客の希望により定めることができる。「累積環境値」は、顧客毎の商品購入に応じて、商品の「環境値」を累積した数値である。「環境貢献度」が高い商品を購入すると、「累積環境値」の数値が大きくなる。
【００３９】
図８は、顧客購入履歴ファイル２１の一例を示した構成図である。図８に示すように、「会員コード」、「商品コード」、「商品名」、「数量」、「環境値」で構成され、顧客毎の購入履歴が時系列に蓄積されているものとする。
【００４０】
図９は、代替品ファイル２５の一例を示した構成図である。図９に示すように、代替品ファイル２５は商品マスタファイル１４及び代替品マスタファイル１５に基づき、代替品情報提示手段１７により構成されたものであり、商品毎の代替品として、「代替品１」、「代替品２」の商品情報が蓄積されている。
【００４１】
図１０は、「選定条件規定値入力」画面３１であり、選定条件手段１１が端末２に表示し、代替品を選定する規定選定条件を受け付け、その内容を、規定条件ファイル１２に蓄積する。「選定条件規定値入力」画面３１では、「環境値」に対して、同一代替品グループコードに属する中で、「最高から順に選定」するか「近似から順に選定」するかのどちらかを選択する。また、「価格」に対して「±５％以内」か「±１０％以内」かを選択する。一例として、「環境値」及び「価格」に対して、２つの条件のどちらかを選択するようにしているが、適宜条件を入力できるように構成することもできるし、「環境値」についてのみ条件を指定するように構成することもできる。
【００４２】
図１１は、「代替品選定条件入力」画面４１であり、選定条件手段１１が端末２に表示し、商品コード又は代替品グループコードに基づいて代替品を選定する選定条件を受け付ける。その受け付けた内容を、代替品選定条件ファイル１３に蓄積する。「商品コード」、「代替品グループコード」は、どちらか一方の指定でも可能であるとし、また２つとも指定してもいい。「環境値」及び「価格」の指定に関しては、図９の説明で上述したとおりである。
【００４３】
図１２に示したフローチャートにて、選定条件手段１１の処理を説明する。ステップＳ０からスタートし、ステップＳ１で「選定条件規定値入力」画面３１を表示する。ステップＳ２で店舗の責任者などが「選定条件規定値入力」画面３１に入力した入力を受け付け、ステップＳ３で規定条件ファイル１２を更新する。
【００４４】
その後、ステップＳ４で「代替品選定条件入力」画面４１を表示して、ステップＳ５で商品コード又は代替品グループコードに基づく選定条件を受け付け、ステップＳ６で代替品選定条件ファイル１３を更新する。ステップＳ７で終了する。図１２に示した選定条件手段１１の処理は、店舗の責任者などが選定条件を変更したいときなどに、随時「選定条件規定値入力」画面３１及び「代替品選定条件入力」画面４１から選定条件を受け付けることにより、行われるとする。
【００４５】
次に、図１３に示したフローチャートにて、代替品情報構成手段１６の処理を説明する。ステップＳ１１からスタートし、ステップＳ１２で商品マスタファイル１４、既定条件ファイル１２及び代替品選定条件ファイル１３を読みこむ。ステップＳ１３で商品マスタファイル１４の先頭レコードから順次、１レコードを取り出す。ステップＳ１４で、取り出したレコードの「商品コード」と一致する「商品コード」が代替品選定条件ファイル１３に存在するか否か、また取り出したレコードの「代替品グループコード」と一致する「代替品グループコード」が代替品選定条件ファイル１３に存在するか否かを確認する。「商品コード」及び「代替品グループコード」の確認については、「商品コード」、「代替品グループコード」の順番で行うとし、「商品コード」が一致するレコードが代替品選定条件ファイル１３に存在すればステップＳ１５に処理が移り、「商品コード」が一致するレコードが存在しないときは、「代替品グループコード」が一致するレコードが代替品選定条件ファイル１３に存在するか否かを確認する。「商品コード」又は「代替品グループコード」が一致するレコードが代替品選定条件ファイル１３に存在するときは、ステップＳ１５に処理が移る。
【００４６】
ステップＳ１４で取り出したレコードの「商品コード」又は「代替品グループコード」が一致するレコードが代替品選定条件ファイル１３に存在しないときは、ステップＳ２０に処理が移り、既定条件ファイル１２から代替品を選定する選定条件を取り出す。ステップＳ２０の処理の終了後は、ステップＳ１７に処理が移る。
【００４７】
ステップＳ１５で代替品選定条件ファイル１３から該当レコードを取り出し、ステップＳ１６で該当レコードから代替品を選定する選定条件として、「条件１」及び「条件２」を取り出す。その後、ステップＳ１７で商品コード毎に、「条件１」及び「条件２」に基づき代替品情報として、「代替品１」、「代替品２」と順序付けて選定し、その情報を記憶装置（図示せず）に記憶する。ステップＳ１８で商品マスタファイル１４に未処理のレコードがあるか否かを確認し、未処理のレコードがあるときは、ステップＳ１３に処理が戻り、商品マスタファイル１４の処理が終了したレコードの次の１レコードを取り出す。ステップＳ１８で未処理のレコードがないときは、ステップＳ１９に処理が移り、記憶装置（図示せず）に記憶された１レコードずつの代替品情報を代替品マスタファイル１５に書きこみ、蓄積する。ステップＳ２１で処理が終了する。
【００４８】
図１３に示した代替品情報構成手段１６の処理は、例えば毎朝など予め定められた間隔で行われるとし、そのタイミングで新規の代替品情報を代替品マスタファイル１５に書きこみ、蓄積するものとする。
【００４９】
また、代替品情報提示手段１７は、商品マスタファイル１４及び代替品マスタファイル１５に基づき、図９に示した代替品ファイル２５を構成する。例えば、代替品マスタファイル１５が更新されるタイミングで、更新される。
【００５０】
図１４は、ＰＯＳ端末５での処理及びメール端末４に顧客毎の購入履歴及び購入商品の累積環境値を送信する処理を示している。ステップＳ３１からスタートし、ステップＳ３２で、ＰＯＳ端末５での処理が商品の買い上げであるか、購入履歴の送信であるかにより処理を分岐する。この処理の分岐は、ＰＯＳ端末５の操作者などにより、ＰＯＳ端末５の入力装置（図示せず）からの指定で行われる。商品の買い上げであるときは、ステップＳ３３に処理が移り、ステップＳ３３でデータ送受信手段１８によりＰＯＳ端末５へ代替品ファイル２５が送信（ダウンロード）され、代替品出力ファイル２６を構成する。ステップＳ３４で商品買い上げを受け付け、ステップＳ３５で買い上げを受け付けた商品の商品コードに基づき、代替品出力ファイル２６から代替品情報を取り出す。このとき商品のバーコードを読み取るなどで、商品を特定し、商品コードを定める。その後、ステップＳ３６でレシートに商品買い上げ情報と、ステップＳ３５で取り出した代替品情報とを印字する。
【００５１】
ステップＳ３２で購入履歴の送信であるとしたときは、ステップＳ３７に処理が移り、購入履歴を蓄積した購入履歴ファイル２７を店舗サーバ１に送信（アップロード）し、データ送受信手段１８が購入履歴ファイル２７を受信する。ステップＳ３８でデータ送受信手段１８が受信した購入履歴ファイル２７を、購入履歴作成手段１９により、顧客毎の購入履歴として構成し、顧客購入履歴ファイル２１に蓄積する。ステップＳ３７及びステップＳ３８に示した処理は、例えば毎夕など、予め定められた間隔で行われる。
【００５２】
ステップＳ３９で顧客情報提示手段２２により、顧客マスタファイル２０及び顧客購入履歴ファイル２１に基づき、メール端末４に顧客毎の購入履歴及び購入商品の累積環境値を送信し、代替品情報を提供する。顧客毎の「累積環境値」は、顧客購入履歴ファイル２１の「環境値」を「会員コード」毎に累積した数値である。
【００５３】
また顧客毎に、代替品情報を提供するかどうかは、顧客マスタファイル２０の「メール送信フラグ」にて、定めることができる。ステップＳ３９に示した処理が行われるタイミングとしては、例えば顧客が商品を購入した日の翌日、毎週金曜日、又は毎日２０時などの曜日指定、時間指定が考えられる。また、顧客として登録するときに、随時送信タイミングを指定できるように構成し、それを顧客マスタファイル２０に蓄積することも可能である。ステップＳ４０で終了する。
【００５４】
図１５は、ステップＳ３６で示した処理で、商品買い上げ情報と代替品情報とを印字したレシート６の一例を示すものである。図１５に示すように、「洗剤Ａ」を買い上げたときは、「洗剤Ａ」の買い上げ情報とともに、「洗剤Ａ」の代替品情報として商品名「洗剤Ｂ」の価格（「\230」）、環境値（「７」）及びコメントが印字される。
【００５５】
図１６は、ステップＳ３９で示した処理で、メール端末４に顧客毎の購入履歴、代替品情報及び累積環境値を送信した画面の一例を示すものである。５１は「代替品グループコード毎の代替品情報提供」画面であり、代替品グループコード毎に、例えば「食器用洗剤代替品情報」５２のように、代替品情報を表示する。また、５３は顧客毎の購入履歴及び購入商品の累積環境値を表示するためのＵＲＬを示したものであり、顧客毎に異なるＵＲＬ（Uniform  Resource  Locator）を割り振る。クリックなどの操作によりＵＲＬ５３を顧客が選択すると、「顧客毎の購入履歴」画面６１が表示される。「顧客毎の購入履歴」画面６１には、顧客の購入履歴とともに、累積環境値６２が表示される。累積環境値６２は、一例として、「現在の環境ポイント」として表示しているが、上述したように、顧客購入履歴ファイル２１の「環境値」を「会員コード」毎に累積した数値である。
【００５６】
この「累積環境値」を顧客毎に集計し、情報を提供することで、顧客の環境に対する意識付けを行うことができる。また、「累積環境値」を例えば「お買い物ポイント」などとして、商品購入時の割引や景品交換などとして還元することもでき、顧客の購買意欲を向上させることもできる。
【００５７】
図１７は、電子棚札コントロール７での処理、代替品情報のデータ登録について示したものである。ステップＳ４１からスタートし、ステップＳ４２で代替品ファイル２５をダウンロードすることにより、代替品出力ファイル２６を構成する。次に、ステップＳ４３で電子棚札コントロール７に付属している入力装置（図示せず）により、電子棚札８に表示する商品コード及び電子棚札８を特定する内容（例えばＩＰアドレス）の指定を受け付ける。この指定は、店舗の責任者などが行う。その後ステップＳ４４で、該当商品コードの代替品情報を読みこみ、代替品情報を作成する。ステップＳ４５で、該当の電子棚札８にステップＳ４４で作成した代替品情報を送信し、電子棚札８の記憶装置（図示せず）にこの代替品情報を登録する。送信の方法としては、ＬＡＮ、無線ＬＡＮなどを介する方法が考えられる。ステップＳ４６で、処理を終了する。
【００５８】
この処理は、代替品マスタファイル１５が更新されることにより、代替品ファイル２５が更新されるタイミングで行われる。なお、電子棚札８は、商品棚に置かれた商品毎に設置されるものであるので、図１７に示した処理は、店舗の電子棚札８に対して順次行う。
【００５９】
図１８は、電子棚札８の表示例を示したものである。電子棚札８には、切り替えボタン７１があり、この切り替えボタン７１を顧客などが押すことにより、該当商品の価格又は代替品情報を表示する。図１８(a)は、該当商品の価格を表示した一例であり、図１８(b)は、該当商品の代替品情報を表示した一例である。なお通常は、価格情報を表示するように、代替品情報を表示するように切り替えた後、一定時間が経過したら、価格情報の表示に戻すように、構成することもできる。
【００６０】
図１９は、環境チェッカー９での処理、代替品情報のデータ登録及び表示処理について、示したものである。環境チェッカー９には、商品コードなどの商品識別子を読み取る識別子読取手段を備えていて、例えば商品コードをバーコードで構成し、識別子読取手段としてバーコード読取装置（図示せず）で構成しているとする。
【００６１】
ステップＳ５１からスタートし、ステップＳ５２でデータの登録であるか、表示処理であるかにより、処理を分岐する。データの登録であるときは、ステップＳ５３に処理が移り、代替品ファイル２５をダウンロードすることにより、代替品出力ファイル２６を構成する。ステップＳ５４で、商品コードの代替品情報を順次読みこみ、全ての商品に関して代替品情報を作成する。その後、ステップＳ５５で環境チェッカー９の記憶装置（図示せず）に、ステップＳ５４で作成した代替品情報を記憶させる。ステップＳ５２で、表示処理であるとしたときは、ステップＳ５６に処理が移り、バーコード読取装置（図示せず）で商品のバーコードを読み取ることにより、代替品情報を表示する商品を特定する。その後ステップＳ５７で、特定した商品の商品コードに基づき、代替品出力ファイル２６を検索し、該当の商品名、価格、環境値及び代替品情報として代替品の商品名、価格、環境値を表示する。
【００６２】
なお、ステップＳ５２での処理の分岐は、店舗の責任者や顧客などの操作により行われる。環境チェッカー９の入力装置（図示せず）からデータの登録であることを受け付けたときは、ステップＳ５３に処理が移り、商品のバーコードを読み取ることなどにより商品を特定したときは、ステップＳ５６に処理が移る。ステップＳ５８で終了する。環境チェッカー９は、バーコード読み取り装置を有し、バーコードを読み取ることで商品を特定するとしているが、バーコード以外に商品を特定できるものがあれば、その特定可能装置により構成することもできる。
【００６３】
図２０は、環境チェッカー９の表示例を示したものである。図２０に示すように、バーコードを読み取ることなどで商品を特定すると、環境チェッカー９は商品情報（商品名、価格、環境値）及び代替品情報として代替品の商品名、価格、環境値を表示する。
【００６４】
以上説明したように、本実施の形態を用いると、メール端末４、レシート６、電子棚札８及び環境チェッカー９により、代替品情報を表示することができる。それにより、顧客が商品を購入しようとするとき、また購入したときに、より環境に対する影響度が少ない環境対応商品の商品情報を提供することができる。
【００６５】
また、メール端末４に顧客毎の購入履歴及び購入商品の累積環境値を送信し、代替品情報を提供する。この「累積環境値」を顧客毎に集計し、提供することで、顧客は個人の「累積環境値」を把握することができ、顧客の環境に対する意識付けを行うことができる。また、「累積環境値」を例えば「お買い物ポイント」などとして、商品購入時の割引や景品交換などとして還元することもでき、顧客の購買意欲を向上させることもできる。
【００６６】
さらに、本実施の形態では、商品には、環境に対する影響度として「環境値」が付与されているとし、「環境値」は、数値が大きいほど環境に対する影響度が少なく、「環境貢献度」が高いとしている。このとき、「環境値」を「環境負荷値」などで構成し、「環境負荷値」の数値が小さいほど環境に対する影響度が少なく、「環境貢献度」が高いと構成することもできる。また、商品マスタファイル１４に蓄積した「環境値」は、店舗の責任者などが定め、指定するだけでなく、例えば製造メーカが定めた値により構成することや、公の既定又は基準があれば、それにより定めることもできる。
【００６７】
また本実施の形態において、顧客に代替品情報を提供するとしているが、レシート６、電子棚札８及び環境チェッカー９で、代替品情報を提供するとき、顧客として会員登録している相手である必要はない。レシート６、電子棚札８及び環境チェッカー９では、一般の消費者に代替品情報を提供することができる。
実施の形態２．
図２１は、本実施の形態２で、環境対応商品情報提供システムを実現するためのシステム構成図である。図２１において、実施の形態１で用いた図２のシステム構成図と異なるのは、データ送受信手段１８は、ＰＯＳ端末５に対して商品マスタファイル１４及び代替品マスタファイル１５を送信することである。それにより、ＰＯＳ端末５では商品出力ファイル２８及び代替品出力ファイル２９を構成する。
【００６８】
図２２は、本実施の形態で、ＰＯＳ端末５の処理及びメール端末４に顧客毎の購入履歴及び購入商品の累積環境値を送信する処理を示している。ステップＳ６１からスタートし、ステップＳ６２でデータ送受信手段１８によりＰＯＳ端末５へ商品マスタファイル１４及び代替品マスタファイル１５が送信（ダウンロード）され、商品出力ファイル２８及び代替品出力ファイル２９を構成する。ステップＳ６２で示した処理は、例えば毎朝など、商品マスタファイル１４又は代替品マスタファイル１５が更新されるタイミングで行う。
【００６９】
ステップＳ６３で、ＰＯＳ端末５での処理が商品の買い上げであるか、購入履歴の送信であるかにより処理を分岐する。商品の買い上げであるときは、ステップＳ６４に処理が移り、ステップＳ６４で商品買い上げを受け付け、ステップＳ３５で買い上げを受け付けた商品の商品コードに基づき、商品出力ファイル２８及び代替品出力ファイル２９から代替品情報を構成する。その後、ステップＳ６６でレシートに商品買い上げ情報と、ステップＳ６５で取り出した代替品情報とを印字する。
【００７０】
ステップＳ６３で購入履歴の送信であるとしたときは、ステップＳ６７に処理が移り、購入履歴を蓄積した購入履歴ファイル２７を店舗サーバ１に送信（アップロード）し、データ送受信手段１８が購入履歴ファイル２７を受信する。ステップＳ６８でデータ送受信手段１８が受信した購入履歴ファイル２７を、購入履歴作成手段１９により、顧客毎の購入履歴として構成し、顧客購入履歴ファイル２１に蓄積する。ステップＳ６７及びステップＳ６８に示した処理は、例えば毎夕など、予め定められた間隔で行われる。
【００７１】
ステップＳ６９で顧客情報提示手段２２により、顧客マスタファイル２０及び顧客購入履歴ファイル２１に基づき、メール端末４に顧客毎の購入履歴及び購入商品の累積環境値を送信し、代替品情報を提供する。ステップＳ７０で終了する。
【００７２】
以上説明したように、本実施の形態によると、ＰＯＳ端末５には常に最新の商品情報及び代替品情報として、商品出力ファイル２８及び代替品出力ファイル２９が存在している。商品の買い上げを受け付けたとき、ＰＯＳ端末５で代替品情報を構成することができるため、レシートに代替品情報を印字する処理を迅速に行うことができる。
実施の形態３．
本実施の形態３におけるシステム構成図は、実施の形態１で用いた図２又は、実施の形態２で用いた図２１と同様である。
【００７３】
図２３は、本実施の形態における商品マスタファイル１４、図２４は、本実施の形態における代替品マスタファイル１５、図２５は本実施の形態における代替品ファイル２５の構成を示したものである。
【００７４】
本実施の形態において特徴的なことは、商品の容器について、どの程度リサイクルできるかのリサイクル率を考え、商品の環境値を付与していることである。図２３に示すように、商品マスタファイル１４には、「容器」という項目が存在し、飲料水や嗜好品などの容器に関しての環境に対する影響度を考慮している。例えば、ペットボトルより缶の方がリサイクル率が良いときは、環境値を大きくし、また同じ牛乳の紙容器でも、容量が大きいものの方がリサイクル率が良いときは、環境値を大きくする。
【００７５】
図２５に示した代替品ファイル２５を構成し、それをメール端末４、レシート６、電子棚札８及び環境チェッカー９に提供することで、顧客に対して、容器のリサイクルについても、環境に対する影響度の意識付けをすることができる。
【００７６】
【発明の効果】
本発明は、以上説明したように構成されているので、以下に示すような効果を奏する。
【００７７】
顧客が商品を購入しようとするとき、また購入したときに、より環境に対する影響度が少ない環境対応商品の商品情報を提供することができる。
【図面の簡単な説明】
【図１】  実施の形態１〜実施の形態３において環境対応商品情報提供システムを実現するためのシステム構成図である。
【図２】  実施の形態１のシステム構成図を詳細に記した図である。
【図３】  既定条件ファイル１２を示した構成図である。
【図４】  代替品選定条件ファイル１３を示した構成図である。
【図５】  実施の形態１〜実施の形態２における商品マスタファイル１４を示した構成図である。
【図６】  実施の形態１〜実施の形態２における代替品マスタファイル１５を示した構成図である。
【図７】  顧客マスタファイル２０を示した構成図である。
【図８】  顧客購入履歴ファイル２１を示した構成図である。
【図９】  実施の形態１〜実施の形態２における代替品ファイル２５を示した構成図である。
【図１０】  「選定条件規定値入力」画面３１を示した図である。
【図１１】  「代替品選定条件入力」画面４１を示した図である。
【図１２】  選定条件手段１１の処理の流れを示すフローチャートである。
【図１３】  代替品情報構成手段１６の処理の流れを示すフローチャートである。
【図１４】  ＰＯＳ端末５での処理及びメール端末４に顧客毎の購入履歴及び累積環境値を送信する処理の流れを示すフローチャートである。
【図１５】  商品買い上げ情報と代替品情報とを印字したレシートを示した図である。
【図１６】  メール端末４に顧客毎の購入履歴、代替品情報及び累積環境値を送信した画面を示した図である。
【図１７】  電子棚札コントロール７での処理を示したフローチャートである。
【図１８】  電子棚札８の表示例を示した図である。
【図１９】  環境チェッカー９での処理を示したフローチャートである。
【図２０】  環境チェッカー９の表示例を示した図である。
【図２１】  実施の形態２のシステム構成図を詳細に記した図である。
【図２２】  実施の形態２においてＰＯＳ端末５での処理及びメール端末４に顧客毎の購入履歴及び累積環境値を送信する処理の流れを示すフローチャートである。
【図２３】  実施の形態３における商品マスタファイル１４を示した構成図である。
【図２４】  実施の形態３における代替品マスタファイル１５を示した構成図である。
【図２５】  実施の形態３における代替品ファイル２５を示した構成図である。
【符号の説明】
１  店舗サーバ、２  端末、５  ＰＯＳ端末、８  電子棚札、９  環境チェッカー、１１  選定条件手段、１２  既定条件ファイル、１３  代替品選定条件ファイル、１６  代替品情報構成手段、１７  代替品情報提供手段、１９  購入履歴作成手段、２２  顧客情報提供手段、２３  データ処理手段、２４  代替品情報印字手段。
【図１】
0003696828.tif 000002
【図２】
0003696828.tif 000003
【図３】
0003696828.tif 000004
【図４】
0003696828.tif 000005
【図５】
0003696828.tif 000006
【図６】
0003696828.tif 000007
【図７】
0003696828.tif 000008
【図８】
0003696828.tif 000009
【図９】
0003696828.tif 000010
【図１０】
0003696828.tif 000011
【図１１】
0003696828.tif 000012
【図１２】
0003696828.tif 000013
【図１３】
0003696828.tif 000014
【図１４】
0003696828.tif 000015
【図１５】
0003696828.tif 000016
【図１６】
0003696828.tif 000017
【図１７】
0003696828.tif 000018
【図１８】
0003696828.tif 000019
【図１９】
0003696828.tif 000020
【図２０】
0003696828.tif 000021
【図２１】
0003696828.tif 000022
【図２２】
0003696828.tif 000023
【図２３】
0003696828.tif 000024
【図２４】
0003696828.tif 000025
【図２５】
0003696828.tif 000026